(57)【要約】　　　（修正有）【課題】屋外設置用の筐体防水構造に関するものであり、メンテナンス用の扉を具備し、特に完全密封の筐体の防水構造を提供する。【解決手段】回転可能に支持された扉３により筐体本体１の凹部が開閉され、該凹部の周囲に突条が形成され、前記扉の内面に前記突条に押圧される第一のシール材５が設けられ、前記筐体本体の前記凹部の内壁面から前記突条にわたり第二のシール材６が設けられ、前記扉が閉じられた状態で、前記突条は前記第一のシール材に密着し、前記扉の枠縁が前記第二のシール材に密着するようにした。【選択図】　　　　図１
2004092308.tif 000002
【特許請求の範囲】
【請求項１】
回転可能に支持された扉により筐体本体の凹部が開閉され、該凹部の周囲に突条が形成され、前記扉の内面に前記突条に押圧される第一のシール材が設けられ、前記筐体本体の前記凹部の内壁面から前記突条にわたり第二のシール材が設けられ、前記扉が閉じられた状態で、前記突条は前記第一のシール材に密着し、前記扉の枠縁が前記第二のシール材に密着するようにしたことを特徴とする筐体の防水構造。
【請求項２】
前記扉を閉じた際には、前記扉が前記筐体本体の凹部に密着し、扉と前記筐体本体の正面とが略均一平面状となるように構成した請求項１の筐体防水構造。
【請求項３】
前記第二のシール材はシリコンスポンジからなることを特徴とした請求項１の筐体の防水構造。
【請求項４】
前記第二のシール材には、溝が設けられ、該溝の設けられたシール材の一末部は扉を閉じた際に前記内シール材と当接することを特徴とした請求項１乃至請求項３の筐体の防水構造。
【発明の詳細な説明】
【０００１】
【発明の属する技術分野】
本発明は屋外設置用の筐体防水構造に関するものであり、メンテナンス用の扉を具備し、特に完全密封の筐体の防水構造に関するものである。
【０００２】
【従来の技術】
屋外設置機器でメンテナンス用扉がある筐体には、防水構造のため、扉もしくは筐体に防水用シール材が使われている。この防水用シール材は、通常１重、もしくは２重にシール材が設けられている。通常の１重の場合、扉と筐体は金属同士で、扉として可動する部分のため、完全に隙間をなくすこが出来ない構造となる。また、２重にシール材を設けた場合は、扉を閉めている時には完全に水滴の浸入は防げるが、特に屋外設置筐体の場合、降雨が予想され、降雨直後に装置のメンテナンスが必要となった場合、装置自体がまだ水滴で濡れている状況で、メンテナンス用扉を開放する場合が十分に考えられる。その時、従来技術の構造の場合、メンテナンス用扉の上面に水滴が溜まりやすい構造のため、扉開放時に装置内部に水滴が入りやすい構造であった。これは、完全密封の筐体の場合、装置内部が動作中は、温度が上がり、空気の膨張で加圧状態となっているところに、降雨によって装置が冷やされた場合、装置が減圧（負圧）の状態となり、扉を開放すると、外気が筐体内部に吸われることが考えられ、そこに、水滴があった場合、水滴も一緒に装置内部に吸い込まれることになる。
【０００３】
以下に図面を参照して従来技術を説明する。　従来技術の構造図を図３〜図７に示す。
従来技術では、屋外設置用筐体本体３１の内部に、内部精密機器３２が入っており、更にメンテナンス用扉３３があり、前記メンテナンス用扉３３には、扉をロックするカギ３４があり、メンテナンス用扉３３には、内部精密機器３２を水滴等から守るために、防水用シール材３５が貼りつけられている。
【０００４】
また、筐体本体３１とメンテナンス用扉３３の隙間には、２重シール材構造となる防水用シール材３６が筐体本体３１に溝を設けた凹みに、コの字状の形で貼り付けられている。この防水用シール材３６は、扉の形状及び、扉支持部の影響で、「口」形には出来ず、扉支持部が２重パッキンとならない場合、図３の防水用シール材３７で補強できる構造となっている。
【０００５】
図５にメンテナンス用扉３３部分の裏面詳細図を示す。
この補助用防水シール材３７は、防水用シール材３５の上に貼り付ける構造であり、この補助用防水シール材３７により、完全に２重となる構造であり、水滴が溜まらない構造となっている。
【０００６】
この２重防水シール材構造は、外周のシール材３５である程度の防水構造を確保し、内側の完全な補助用防水用シール材３７で十分な防水性を確保する構造であり、カギ部及び、扉支持部取り付けネジには防水処理を施さない構造となっており、内側のパッキンに水滴が溜まらなく、扉の開け閉めで機器内部に水滴の進入が起こらないようにする構造である。
【０００７】
しかし、本装置は屋外設置筐体のため、降雨が予想され、降雨によってメンテナンス用扉３２の上面に水滴が溜まる構造となってしまう。その図を図６に示す。
屋外設置用筐体３１と、メンテナンス用扉３２の上面に、降雨によって出来た水滴６３が溜まる様子を示す。
【０００８】
また、その降雨によって出来た水滴６３の溜りは、図７に示すように、降雨後にメンテナンス用扉３２を開放することによって、降雨７３によって出来た水滴７４が、メンテナンス用扉３２内部に浸入する経路によって、浸入が起こり、浸入した水滴７４は、浸入した水滴７４が装置内部に入り込む経路のように、装置内部に入り込むことが考えられる。
【０００９】
また、特に完全密封の筐体の場合、装置内部が動作中は、温度が上がり、空気の膨張で加圧状態となっているところに、降雨によって装置が冷やされた場合、装置が減圧（負圧）の状態となり、扉を開放すると、外気が筐体内部に吸われることが考えられ、そこに、水滴があった場合、水滴も一緒に装置内部に吸い込まれることになる。
【００１０】
また、別の構造による２重防水技術もある。（例えば、特許文献１参照）
【００１１】
【特許文献１】
特開平７−５８４７２号公報
【発明が解決しようとする課題】
【００１２】
本発明の目的は、屋外設置筐体の場合、降雨が予想され、降雨直後に装置のメンテナンスが必要となった場合、装置自体がまだ水滴で濡れている状況で、メンテナンス扉を開放する場合が十分に考えられる。その時、従来技術の構造の場合、メンテナンス用扉の上面に水滴が溜まりやすい構造のため、扉開放時に装置内部に水滴が入りやすい構造であった。これは、完全密封の筐体の場合、装置内部が動作中は、温度が上がり、空気の膨張で加圧状態となっているところに、降雨によって装置が冷やされた場合、装置が減圧（負圧）の状態となり、扉を開放すると、外気が筐体内部に吸われることが考えられ、そこに、水滴があった場合、水滴も一緒に装置内部に吸い込めれることになる。このように、降雨直後の減圧（負圧）状態で、装置の扉を開放しても、水滴の浸入を完全に防げる構造を実現することにある。
【課題を解決するための手段】
【００１３】
前記目的を達成するために、本発明の請求項１に記載された発明は、回転可能に支持された扉により筐体本体の凹部が開閉され、該凹部の周囲に突条が形成され、前記扉の内面に前記突条に押圧される第一のシール材が設けられ、前記筐体本体の前記凹部の内壁面から前記突条にわたり第二のシール材が設けられ、前記扉が閉じられた状態で、前記突条は前記第一のシール材に密着し、前記扉の枠縁が前記第二のシール材に密着するようにしたことを特徴とする。
【００１４】
本発明の請求項２に記載された発明は、回転可能に支持された扉により筐体本体の凹部が開閉され、該凹部の周囲に突条が形成され、前記扉の内面に前記突条に押圧される第一のシール材が設けられ、前記筐体本体の前記凹部の内壁面から前記突条にわたり第二のシール材が設けられ、前記扉が閉じられた状態で、前記突条は前記第一のシール材に密着し、前記扉の枠縁が前記第二のシール材に密着し、前記扉を閉じた際には、前記扉が前記筐体本体の凹部に密着し、扉と前記筐体本体の正面とが略均一平面状となるように構成したことを特徴とする。
【００１５】
本発明の請求項３に記載された発明は、回転可能に支持された扉により筐体本体の凹部が開閉され、該凹部の周囲に突条が形成され、前記扉の内面に前記突条に押圧される第一のシール材が設けられ、前記筐体本体の前記凹部の内壁面から前記突条にわたり第二のシール材が設けられ、前記扉が閉じられた状態で、前記突条は前記第一のシール材に密着し、前記扉の枠縁が前記第二のシール材に密着し、前記第二のシール材はシリコンスポンジからなることを特徴とする。
【００１６】
本発明の請求項４に記載された発明は、前記請求項１乃至請求項３に記載された構成であって、前記第二のシール材には、溝が設けられ、該溝の末端は扉を閉じた際に前記第一のシール材と密着することを特徴とする。
【００１７】
【発明の構成及び作用】
本発明の構造図を図１及び図２に示す。
本発明では、屋外設置用筐体１の内部に、内部精密機器２が入っている構造の機器に、メンテナンス用扉３があり、前記メンテナンス用扉３には、扉をロックするカギ４があり、メンテナンス用扉３には、内部精密機器２を水滴等から守るためと、完全密封筐体のために気密性を確保する目的で柔らかいシリコンスポンジ製の第一の防水用シール材５が貼りつけられている。また、２重シール構造の外側のシール材となる第二の防水用シール材６が、筐体１と扉３の隙間にわたり、筐体１に設けられた突起との嵌め合い構造で取り付けられている。この第二の防水用シール材６は、シリコンゴムの成形品であり、図１Ｂ−Ｂ断面図、Ａ−Ａ断面図及び図２に示すように略Ｊ型形状であり、特殊な溝構造を有している。この第二のの防水用シール材６の一端は筐体の外面と略面一になっており、別の一端はメンテナンス用扉３を閉じた状態でメンテナンス用扉３側の第一の防水シール材に密着する構造となっている。この第二の防水用シール材のメンテナンス用扉側の第一の防水シール材に当接する部分には、水滴が筐体内部に入り込まないようにするために、溝状に構成されている。
【００１８】
また、図２に降雨直後のメンテナンス用扉の開放図を示す。
本発明の構造では、従来形状のように、メンテナンス用扉３の上面に水滴が溜まる構造とは違い、筐体とメンテナンス用扉が、略均一平面状となり、水滴が溜まらない構造である。また、筐体正面に水滴が付着していて、その水滴がメンテナンス用扉の開放で下に滴れてきた場合でも、図２に示す様に降雨によって出来た水滴２１が、メンテナンス用扉３の開放で降雨によって出来た水滴の浸入経路２２を伝って、垂れてきた場合、水滴がパッキン６の溝に溜まるため、図２の防水パッキン６の特殊な形状の溝部に水滴２３が溜まり、機器内部に水滴の浸入が起こらないパッキン構造である。
【００１９】
また、完全密封の筐体の場合、装置内部が動作中は、温度が上がり、空気の膨張で加圧状態となっているところに、降雨によって装置が冷やされた場合、装置が減圧（負圧）の状態となり、その際に扉を開放すると、外気が筐体内部に吸われることが考えられ、そこに、水滴があった場合、水滴も一緒に装置内部に吸い込まれることになるが、本形状では水滴が溝部に溜まる構造のため、降雨直後の扉の開閉でも水滴の浸入は起こらない構造である。
【００２０】
【発明の効果】本発明を実施することにより、降雨直後にメンテナンスが必要となった場合でもメンテナンス用扉の上面に水滴が溜まらない構造であるため、メンテナンス用扉の開放で水の浸入が起こらない構造となる。又、降雨直後にメンテナンスが必要となった場合でも筐体側面に付着した水滴が、メンテナンス用扉の開放で水滴が滴れてきても、防水用シール材に設けられた溝に水滴が溜まり、水の浸入が起こらない構造となる。更に降雨により、筐体が冷やされ、減圧（負圧）状態となった場合でも、防水防水用シール材に設けられた溝に水滴が溜まり、水の浸入が起こらない構造となる。防水用２重シール材の内側シール材は、柔らかいシリコンスポンジを使用することで、完全密封筐体の気密性を保持できる構造となる。防水用シール材は、外側のシール材で扉開放時の水滴の装置内浸入を防ぎ、内側のシール材で筐体の気密性を保持する構造であり、耐環境試験での耐腐食性、防水・防滴・防塵性にも優れた構造となる。という効果が期待できる。
【図面の簡単な説明】
【図１】本発明を説明する筐体の正面及び断面図
【図２】本発明を説明する防水構造図
【図３】従来技術を説明する筐体正面及び断面図
【図４】従来技術を説明する図
【図５】従来技術を説明する図
【図６】従来技術を説明する図
【図７】従来技術を説明する図
【符号の説明】
１・・・筐体本体、２・・・精密機器、３・・・メンテナンス用扉、４・・・カギ、５・・・第一のシール材、６・・・第二のシール材
【図１】
2004092308.tif 000003
【図２】
2004092308.tif 000004
【図３】
2004092308.tif 000005
【図４】
2004092308.tif 000006
【図５】
2004092308.tif 000007
【図６】
2004092308.tif 000008
【図７】
2004092308.tif 000009